【手続補正書】
【提出日】平成31年1月21日(2019.1.21)
【手続補正１】
【補正対象書類名】特許請求の範囲
【補正対象項目名】全文
【補正方法】変更
【補正の内容】
【特許請求の範囲】
【請求項１】
被検体への複数回の光照射により被検体から発生する音響波を受信することにより得られた信号に基づいて、前記被検体に関する特性情報を示す画像データを生成する処理部と、
前記画像データに基づく画像を表示部に表示させる表示制御部と、
を有し、
前記表示制御部は、前記光の照射および前記音響波の受信と並行して前記画像が表示される第１の表示、および、前記第１の表示よりも多くの前記信号に基づく前記画像が表示される第２の表示を行い、
前記処理部は、前記第１の表示に用いる前記画像データを生成するときは、前記第２の表示に用いる前記画像データを生成するときよりも少ない数の再構成単位の前記特性情報を示す前記画像データを生成する
ことを特徴とする被検体情報取得装置。
【請求項２】
前記処理部は、三次元に配置された前記再構成単位の前記特性情報を生成し、前記第１の表示のときに、前記少ない数の再構成単位において取得した前記特性情報を投影することにより前記画像データを生成する
ことを特徴とする請求項１に記載の被検体情報取得装置。
【請求項３】
前記音響波を受信することにより前記信号を出力するトランスデューサと、
前記トランスデューサを所定の方向に走査する走査制御部と、
をさらに有し、
前記処理部は、前記第１の表示のときに、前記特性情報を前記所定の方向と直交する方向に投影することにより前記画像データを生成する
ことを特徴とする請求項２に記載の被検体情報取得装置。
【請求項４】
前記処理部は、前記第１の表示のときは、前記特性情報に最大値投影法を適用することにより前記画像データを生成する
ことを特徴とする請求項２に記載の被検体情報取得装置。
【請求項５】
前記処理部は、前記第１の表示のときは、前記特性情報として前記再構成単位の初期音圧または光エネルギー吸収密度を取得し、前記第２の表示のときは、前記特性情報として前記再構成単位の吸収係数を取得する
ことを特徴とする請求項１から４のいずれか１項に記載の被検体情報取得装置。
【請求項６】
前記処理部は、前記特性情報として、前記再構成単位の吸収係数を取得する
ことを特徴とする請求項１から４のいずれか１項に記載の被検体情報取得装置。
【請求項７】
前記処理部は、前記第１の表示のときは、第１の波長の光に由来する前記信号を用いて前記被検体内部の第１の領域の前記画像データを生成し、前記第１の波長とは異なる第２の波長の光に由来する前記信号を用いて前記第１の領域とは異なる第２の領域の前記画像データを生成する
ことを特徴とする請求項１から６のいずれか１項に記載の被検体情報取得装置。
【請求項８】
前記第２の波長は前記第１の波長よりも長く、
前記第２の領域は、前記第１の領域よりも前記光源からの距離が長い
ことを特徴とする請求項７に記載の被検体情報取得装置。
【請求項９】
前記処理部は、前記第１の表示のときは、前記特性情報として、前記第１および第２の波長の光それぞれに由来する前記信号に基づいて、前記第１および第２の領域それぞれの前記再構成単位について、初期音圧、光エネルギー吸収密度または吸収係数を取得する
ことを特徴とする請求項７または８に記載の被検体情報取得装置。
【請求項１０】
前記処理部は、前記第２の表示のときは、前記特性情報として酸素飽和度を取得する
ことを特徴とする請求項７から９のいずれか１項に記載の被検体情報取得装置。
【請求項１１】
前記被検体内部における前記画像データが生成される領域の入力を受け付ける入力部をさらに有し、
前記処理部は、前記入力部が受け付けた情報に基づいて、前記第１の表示のときに前記特性情報が取得される領域を決定し、決定された前記領域に基づいて、前記特性情報の取得に前記第１の波長または前記第２の波長のいずれに由来する前記信号を用いるかを決定する
ことを特徴とする請求項７から１０のいずれか１項に記載の被検体情報取得装置。
【請求項１２】
高分解能領域が形成されるように配置された複数の前記トランスデューサと、
複数の前記トランスデューサと前記被検体の相対位置を変化させる走査制御部と、
をさらに有し、
前記第１の表示は、前記相対位置の変化と並行して行われる
ことを特徴とする請求項１から１１のいずれか１項に記載の被検体情報取得装置。
【請求項１３】
前記第１の表示においては、前記相対位置の変化に応じて、表示済みの前記画像に、新たに生成された画像データに基づく画像が付加されていく
ことを特徴とする請求項１２に記載の被検体情報取得装置。
【請求項１４】
前記被検体内部における前記画像データが生成される領域の入力を受け付ける入力部をさらに有する
ことを特徴とする請求項１から１３のいずれか１項に記載の被検体情報取得装置。
【請求項１５】
前記入力部は、前記第１の表示のときに前記特性情報が取得される領域の入力を受け付ける
ことを特徴とする請求項１４に記載の被検体情報取得装置。
【請求項１６】
前記入力部は、前記第１の表示のときに表示される前記画像の画質の入力を受け付けることを特徴とする請求項１４または１５に記載の被検体情報取得装置。
【請求項１７】
前記入力部は、前記再構成単位のサイズの入力を受け付ける
ことを特徴とする請求項１４から１６のいずれか１項に記載の被検体情報取得装置。
【請求項１８】
被検体への複数回の光照射により被検体から発生する音響波を受信することにより得られた信号に基づいて、前記被検体に関する特性情報を示す画像データを生成するステップと、
前記画像データに基づく画像を表示部に表示するステップと、
を有する信号処理方法であって、
前記表示するステップでは、前記光の照射および前記音響波の受信と並行して前記画像が表示される第１の表示、および、前記第１の表示よりも多くの前記信号に基づく前記画像が表示される第２の表示を行い、
前記生成するステップでは、前記第１の表示に用いる前記画像データを生成するときは、前記生成するステップにおいて前記第２の表示に用いる前記画像データを生成するときよりも少ない数の再構成単位の前記特性情報を示す前記画像データを生成する
ことを特徴とする信号処理方法。
【請求項１９】
情報処理装置に請求項１８に記載の信号処理方法の各ステップを実行させるプログラム。
【手続補正２】
【補正対象書類名】明細書
【補正対象項目名】０００７
【補正方法】変更
【補正の内容】
【０００７】
本発明は、以下の構成を採用する。すなわち、被検体への複数回の光照射により被検体から発生する音響波を受信することにより得られた信号に基づいて、前記被検体に関する特性情報を示す画像データを生成する処理部と、前記画像データに基づく画像を表示部に表示させる表示制御部と、を有し、前記表示制御部は、前記光の照射および前記音響波の受信と並行して前記画像が表示される第１の表示、および、前記第１の表示よりも多くの前記信号に基づく前記画像が表示される第２の表示を行い、前記処理部は、前記第１の表示に用いる前記画像データを生成するときは、前記第２の表示に用いる前記画像データを生成するときよりも少ない数の再構成単位の前記特性情報を示す前記画像データを生成することを特徴とする被検体情報取得装置である。
【手続補正３】
【補正対象書類名】明細書
【補正対象項目名】０００８
【補正方法】変更
【補正の内容】
【０００８】
本発明はまた、以下の構成を採用する。すなわち、被検体への複数回の光照射により被検体から発生する音響波を受信することにより得られた信号に基づいて、前記被検体に関する特性情報を示す画像データを生成するするステップと、前記画像データに基づく画像を表示部に表示するステップと、を有する信号処理方法であって、前記表示するステップでは、前記光の照射および前記音響波の受信と並行して前記画像が表示される第１の表示、および、前記第１の表示よりも多くの前記信号に基づく前記画像が表示される第２の表
示を行い、前記生成するステップでは、前記第１の表示に用いる前記画像データを生成するときは、前記生成するステップにおいて前記第２の表示に用いる前記画像データを生成するときよりも少ない数の再構成単位の前記特性情報を示す前記画像データを生成することを特徴とする信号処理方法である。